(57)【特許請求の範囲】
【請求項１】
加湿空気を室外から搬送通路(４)を介して室内に供給する加湿装置において、
上記搬送通路(４)内が結露しないように上記加湿空気の絶対湿度を調整する絶対湿度調整手段(３３a)を備え、
上記搬送通路(４)内の加湿空気の相対湿度を検出する加湿空気湿度センサ(２１)を備え、
上記加湿空気湿度センサ(２１)により検出される上記搬送通路(４)内の加湿空気の相対湿度が目標相対湿度になるかまたは上記目標相対湿度よりも低くなるように、上記絶対湿度調整手段(３３a)により上記加湿空気の絶対湿度を調整し、
室外空気の温度を検出する室外温度センサ(２２)と、
室外空気の相対湿度を検出する室外湿度センサ(２３)と、
上記室外温度センサ(２２)により検出された室外空気の温度と上記室外湿度センサ(２３)により検出された室外空気の相対湿度に基づいて上記目標相対湿度を決定する目標相対湿度決定手段(３３b)とを備えたことを特徴とする加湿装置。
【請求項２】
加湿空気を室外から搬送通路(４)を介して室内に供給する加湿装置において、
上記搬送通路(４)内が結露しないように上記加湿空気の絶対湿度を調整する絶対湿度調整手段(３３a)を備え、
上記搬送通路(４)内の加湿空気の温度を検出する加湿空気温度センサ(２４)を備え、
上記加湿空気温度センサ(２４)により検出される上記搬送通路(４)内の加湿空気の温度が、上記搬送通路(４)内を結露させない目標相対湿度に応じた目標温度になるかまたは上記目標温度よりも高くなるように、上記絶対湿度調整手段(３３a)により上記加湿空気の絶対湿度を調整し、
室外空気の温度を検出する室外温度センサ(２２)と、
所定の加湿運転条件における上記室外温度センサ(２２)により検出された室外空気の温度と上記加湿空気温度センサ(２４)により検出された上記搬送通路(４)内の加湿空気の温度に基づいて上記目標温度を決定する目標温度決定手段(３３c)とを備えたことを特徴とする加湿装置。
【請求項３】
請求項１または２に記載の加湿装置において、
加湿ロータ(１１)と、
上記加湿ロータ(１１)を経由する吸着通路に設けられた吸着ファン(１３)と、
上記加湿ロータ(１１)を経由する脱着通路に設けられた脱着ファン(１５)と、
上記脱着通路の上記加湿ロータ(１１)よりも上流側に設けられたヒータ(１７)とを備え、
上記絶対湿度調整手段は、上記加湿ロータ(１１)の回転数,上記吸着ファン(１３)の回転数,上記脱着ファン(１５)の回転数,上記ヒータ(１７)の入力,上記加湿ロータ(１１)の回転のオンオフ時間,上記吸着ファン(１３)の回転のオンオフ時間および上記脱着ファン(１５)の回転のオンオフ時間のうちの少なくとも１つを制御することによって、上記加湿空気の絶対湿度を調整することを特徴とする加湿装置。
【請求項４】
請求項１乃至３のいずれか1つに記載の加湿装置を用いたことを特徴とする空気調和機。
【発明の詳細な説明】
【０００１】
【発明の属する技術分野】
この発明は、室内に加湿空気を供給する加湿装置およびそれを用いた空気調和機に関する。
【０００２】
【従来の技術】
従来、加湿装置としては、室外から水分を取り込んで加湿された空気を室内に搬送するものがある。この加湿装置では、加湿空気を室外から搬送通路(加湿ダクト等)を介して室内に供給するが、搬送通路内に発生する結露が大きな問題となっていた。
【０００３】
そこで、このような搬送通路の結露の問題を解決するため、搬送通路の断熱材の厚さを増やして断熱効果を高めたり、搬送通路に加湿空気を温めるためのヒータを設けたりする加湿装置が提案されている。
【０００４】
また、本出願人により、加湿空気を搬送通路を介して室内に吹き出す加湿運転と乾燥空気を搬送通路に吹き込む乾燥運転とを交互に繰り返す加湿装置や、搬送通路内に発生した結露水を排出する排出部を設けた加湿装置が提案されている(なお、この加湿装置は、この発明を理解しやすくするために説明するものであって、公知技術ではなく、従来技術ではない)。
【０００５】
【発明が解決しようとする課題】
ところが、上記搬送通路の断熱材の厚さを増やした加湿装置では、コストが高くなると共に施工性が悪いという問題がある。また、上記搬送通路にヒータを設けた加湿装置では、消費電力が増大するという問題がある。また、上記加湿運転と乾燥運転を交互に行う加湿装置では、運転率低下により加湿能力が低下するという問題があり、さらに、上記排出部を設けた加湿装置では、排出部から加湿空気が漏れたり、残留水分によりカビが発生したりするという問題がある。
【０００６】
そこで、この発明の目的は、搬送通路の断熱材を厚くしたり搬送通路にヒータや排出部を設けたりすることなく、簡単な構成で搬送通路内の結露を容易に防止できる加湿装置およびそれを用いた空気調和機を提供することにある。
【０００７】
【課題を解決するための手段】
上記目的を達成するため、請求項１の加湿装置は、加湿空気を室外から搬送通路を介して室内に供給する加湿装置において、上記搬送通路内が結露しないように上記加湿空気の絶対湿度を調整する絶対湿度調整手段を備え、上記搬送通路内の加湿空気の相対湿度を検出する加湿空気湿度センサを備え、上記加湿空気湿度センサにより検出される上記搬送通路内の加湿空気の相対湿度が目標相対湿度になるかまたは上記目標相対湿度よりも低くなるように、上記絶対湿度調整手段により上記加湿空気の絶対湿度を調整し、室外空気の温度を検出する室外温度センサと、室外空気の相対湿度を検出する室外湿度センサと、上記室外温度センサにより検出された室外空気の温度と上記室外湿度センサにより検出された室外空気の相対湿度に基づいて上記目標相対湿度を決定する目標相対湿度決定手段とを備えたことを特徴としている。
【０００８】
上記請求項１の加湿装置によれば、上記絶対湿度調整手段により上記加湿空気の絶対湿度を調整することによって、上記搬送通路内が結露しないようにするので、搬送通路の断熱材を厚くしたり搬送通路にヒータや排出部を設けたりすることなく、簡単な構成で搬送通路内の結露を容易に防止できる。
【０００９】
【００１０】
また、上記絶対湿度調整手段により上記加湿空気の絶対湿度を調整することによって、上記加湿空気湿度センサにより検出される搬送通路内の加湿空気の相対湿度を搬送通路内を結露させない目標相対湿度にするかまたは目標相対湿度よりも低くするので、搬送通路内の結露を確実に防止できる。
【００１１】
【００１２】
さらに、室外空気の温度と相対湿度の様々な条件下で所定の加湿能力に基づく加湿空気の温度と絶対湿度との関係を実験等により得ることが可能である。したがって、上記室外温度センサにより検出された室外空気の温度と上記室外湿度センサにより検出された室外空気の相対湿度に基づいて、上記目標相対湿度決定手段により搬送通路内が結露しない上記目標相対湿度を決定することで、搬送通路内の結露をより確実に防止できる目標相対湿度が得られる。
【００１３】
【００１４】
【００１５】
また、請求項２の加湿装置は、加湿空気を室外から搬送通路を介して室内に供給する加湿装置において、上記搬送通路内が結露しないように上記加湿空気の絶対湿度を調整する絶対湿度調整手段を備え、上記搬送通路内の加湿空気の温度を検出する加湿空気温度センサを備え、上記加湿空気温度センサにより検出される上記搬送通路内の加湿空気の温度が、上記搬送通路内を結露させない目標相対湿度に応じた目標温度になるかまたは上記目標温度よりも高くなるように、上記絶対湿度調整手段により上記加湿空気の絶対湿度を調整し、室外空気の温度を検出する室外温度センサと、所定の加湿運転条件における上記室外温度センサにより検出された室外空気の温度と上記加湿空気温度センサにより検出された上記搬送通路内の加湿空気の温度に基づいて上記目標温度を決定する目標温度決定手段とを備えたことを特徴としている。
【００１６】
したがって、上記請求項２の加湿装置によれば、上記絶対湿度調整手段により上記加湿空気の絶対湿度を調整することによって、上記搬送通路内が結露しないようにするので、搬送通路の断熱材を厚くしたり搬送通路にヒータや排出部を設けたりすることなく、簡単な構成で搬送通路内の結露を容易に防止できる。また、搬送通路内が結露しない加湿空気の相対湿度に応じた温度を上記目標温度とし、上記絶対湿度調整手段により上記加湿空気の絶対湿度を調整することによって、上記加湿空気温度センサにより検出される搬送通路内の加湿空気の温度を目標温度にするかまたは目標温度よりも高くするので、搬送通路内の結露を確実に防止できる。また、上記搬送通路内の加湿空気の相対湿度を検出する湿度センサなしに安価な温度センサを用いて搬送通路内の結露を防止できる。さらに、予め所定の加湿運転条件で室外空気の温度および相対湿度に対する室外空気の相対湿度の関係を実験等により得ることが可能であり、その関係を利用することによって、所定の加湿運転条件における室外空気の温度および搬送通路内の加湿空気の温度に基づいて、室外空気の相対湿度を推定することができる。そうして推定された室外空気の相対湿度において実際に加湿運転を行うときに、搬送通路内が結露しない相対湿度の加湿空気になる目標温度を得る。そうすることによって、上記搬送通路内の結露をより確実に防止できる目標温度が得られる。
【００１７】
また、請求項３の加湿装置は、請求項１または２の加湿装置において、加湿ロータと、上記加湿ロータを経由する吸着通路に設けられた吸着ファンと、上記加湿ロータを経由する脱着通路に設けられた脱着ファンと、上記脱着通路の上記加湿ロータよりも上流側に設けられたヒータとを備え、上記絶対湿度調整手段は、上記加湿ロータの回転数,上記吸着ファンの回転数,上記脱着ファンの回転数,上記ヒータの入力,上記加湿ロータの回転のオンオフ時間,上記吸着ファンの回転のオンオフ時間および上記脱着ファの回転のオンオフ時間のうちの少なくとも１つを制御することを特徴としている。
【００１８】
上記請求項３の加湿装置によれば、上記加湿ロータの回転数を上げ下げまたは回転をオンオフすることにより加湿ロータに吸脱着する水分量を増減させて加湿空気の絶対湿度を高低にでき、上記吸着ファンの回転数を上げ下げまたは回転をオンオフすることにより加湿ロータに吸着させる水分量を増減させて加湿空気の絶対湿度を高低にできる。また、上記脱着ファンの回転数を上げ下げまたは回転をオンオフすることにより加湿ロータから脱着される水分量を増減させて加湿空気の絶対湿度を高低にでき、上記ヒータの入力を大小にすることにより加湿ロータから脱着される水分量を増減させて加湿空気の絶対湿度を高低にできる。このように加湿ロータの回転数,吸着ファンの回転数,脱着ファンの回転数,ヒータの入力,加湿ロータの回転のオンオフ時間,吸着ファンの回転のオンオフ時間または脱着ファの回転のオンオフ時間を制御することにより、加湿空気の絶対湿度を容易に調整することができる。なお、これら加湿ロータ,吸着ファン,脱着ファンおよびヒータのうちの２つ以上を組み合わせて制御してもよい。
【００１９】
また、請求項４の空気調和機は、請求項１乃至３のいずれか1つの加湿装置を用いたことを特徴としている。
【００２０】
上記請求項４の空気調和機によれば、搬送通路の断熱材を厚くしたり搬送通路にヒータや排出部を設けたりすることなく、簡単な構成で搬送通路内の結露を容易に防止できる加湿装置を用いた空気調和機を実現できる。
【００２１】
【発明の実施の形態】
以下、この発明の加湿装置およびそれを用いた空気調和機を図示の実施の形態により詳細に説明する。
【００２２】
（第１実施形態）
図１はこの発明の第１実施形態の加湿装置を用いた空気調和機の要部の構成図であり、この空気調和機は、室内ユニット１と、室外ユニット２と、上記室外ユニット２の上部に配置された加湿装置３Ａとを備えている。上記室内ユニット１と加湿装置３Ａとを搬送通路としての加湿ダクト４を介して接続している。この加湿装置３Ａを用いた空気調和機は、加湿装置３Ａから加湿ダクト４を介して室内ユニット１に加湿空気を供給して、室内を加湿する。
【００２３】
また、上記加湿装置３Ａは、ケーシング(図示せず)内に円板状の加湿ロータ１１を配置している。この加湿ロータ１１は、シリカゲル，ゼオライト，アルミナ等の吸着材が例えばハニカム状または多孔多粒状に成形されており、軸１１aを中心に加湿ロータ用モータ１２によって回転する。また、上記ケーシング内を仕切り板(図示せず)で仕切って、加湿ロータ１１の各部を経由する吸着通路Ａと脱着通路Ｂとを形成している。上記吸着通路Ａの加湿ロータ１１よりも下流側に吸着ファン１３を設け、その吸着ファン１３を駆動する吸着ファン用モータ１４を設けている。上記加湿ロータ１１は、吸着通路Ａを矢印の方向に流れる空気から吸湿する(水分を吸着する)。
【００２４】
一方、上記脱着通路Ｂの加湿ロータ１１よりも下流側に脱着ファン１５を設け、その脱着ファン１５を駆動する脱着ファン用モータ１６を設けて、空気を矢印に示すように吸引して流すようにしている。上記脱着通路Ｂの加湿ロータ１１よりも上流側の部分にヒータ１７を設けて、このヒータ１７で加熱された空気が加湿ロータ１１を通るときに、加湿ロータ１１によって加湿される(加湿ロータ１１から水分を脱着する)。このように、上記吸着通路Ａの空気から加湿ロータ１１が吸着した水分は、ヒータ１７によって加熱された空気によって脱着されて、この空気が加湿される。そうして加湿された空気は、脱着ファン１５によって加湿ダクト４に送られる。
【００２５】
また、図１において、２１は上記加湿ダクト４の脱着ファン１５の下流側近傍に配置され、加湿ダクト４の入口側の加湿空気の相対湿度を検出する加湿空気湿度センサとしての入口湿度センサ、２２は室外空気の温度を検出する室外温度センサ、２３は室外空気の相対湿度を検出する室外湿度センサである。また、３１は室内ファン(図示せず)等を制御する室内制御部、３２は上記入口湿度センサ２１,室外温度センサ２２および室外温度センサ２３からの信号を受けて、圧縮機(図示せず)等を制御する室外制御部、３３は上記室外制御部３２からの信号を受けて、加湿運転を制御する加湿運転制御部である。上記加湿運転制御部３３は、加湿ロータ用モータ１２,吸着ファン用モータ１４,脱着ファン用モータ１６およびヒータ１７を制御して、加湿空気の絶対湿度を調整する絶対湿度調整手段３３aと、加湿ダクト４の入口側の加湿空気の目標相対湿度を決定する目標相対湿度決定手段３３bとを有している。
【００２６】
図２は上記加湿運転制御部３３の加湿運転処理を説明するフローチャートを示している。以下、図２に従って加湿ダクト４内を結露させない加湿運転処理について説明する。
【００２７】
まず、処理がスタートすると、ステップＳ１で送風運転を行う。
次に、ステップＳ２で室外温度センサ２２により検出された室外温度を認識し、ステップＳ３で室外湿度センサ２３により検出された室外湿度を認識する。
次に、ステップＳ４に進み、上記室外温度と室外湿度に基づいて、目標相対湿度決定手段３３bにより加湿ダクト４の出口が結露しないような加湿ダクト入口の目標相対湿度ＲＨを決定する。
次に、ステップＳ５に進み、加湿運転を開始し、ステップＳ６で入口湿度センサ２１により検出された加湿ダクト入口湿度が目標相対湿度ＲＨより低いか否かを判別して、加湿ダクト入口湿度が目標相対湿度ＲＨより低いと判別すると、ステップＳ７に進み、供給水分を増加させるように吸着ファン１３の回転数を上げて、ステップＳ９に進む。
一方、ステップＳ６で加湿ダクト入口湿度が目標相対湿度ＲＨより高いと判別すると、ステップＳ８に進み、供給水分を低減するように吸着ファン１３の回転数を下げて、ステップＳ９に進む。
そして、ステップＳ９で運転停止指令が有るか否かを判別して、運転停止指令が有ると判別すると、この処理を終了する一方、運転停止指令がないと判別すると、ステップＳ６に戻る。
【００２８】
また、図３は上記加湿装置３Ａから吹き出す加湿空気の乾球温度と相対湿度の変化を示しており、室外空気(○印の“１”)を加湿することにより乾球温度が高くかつ絶対湿度が高い加湿空気(○印の“２”)が加湿ダクト４の入口に到達する。そして、上記加湿空気(○印の“２”)は、加湿ダクト４の出口ではヒートロスにより温度低下して、出口近傍の加湿空気(○印の“３”)の相対湿度が入口の加湿空気(○印の“２”)よりも高くなる。そこで、上記加湿装置３Ａでは、加湿ダクト４の出口の加湿空気(○印の“３”)の相対湿度が露点(１００％線)とならないように、加湿ダクト４の入口の加湿空気(○印の“２”)の相対湿度を制御する。すなわち、加湿ダクト４の入口の加湿空気(○印の“２”)の相対湿度を入口湿度センサ２１により検出して、検出された相対湿度が結露限界相対湿度を越えないようにするのである。
【００２９】
ここで、実験により、室外温度と室外湿度に応じて、加湿ダクト４内の出口側が結露しない結露限界相対湿度(加湿ダクト４の入口の相対湿度)を予め決めておく。そうして、上記目標相対湿度ＲＨを結露限界相対湿度以下になるように設定して、最も結露しやすい加湿ダクト４内の出口側で結露しないようにすることで、加湿ダクト４内の全てで結露が発生しない。
【００３０】
このように、上記加湿装置３Ａを用いた空気調和機では、搬送通路の断熱材を厚くしたり搬送通路にヒータや排出部を設けたりすることなく、簡単な構成で加湿ダクト４内の結露を容易に防止することができる。また、乾燥運転と加湿運転を交互に行う加湿装置に比べて、乾燥運転がなくなることにより運転率がよくなり、加湿能力を向上できると共に、加湿ダクト４内の結露を防止することにより残留水分によるカビの発生も防ぐことができる。
【００３１】
（第２実施形態）
次に、この発明の第２実施形態の加湿装置を用いた空気調和機について説明する。この第２実施形態の加湿装置は、入口温度センサおよび加湿運転制御部の処理を除いて第１実施形態の加湿装置と同一の構成をしており、同一構成部は同一参照番号を付して説明を省略し、図１を援用する。この第２実施形態の加湿装置は、図１に示す入口湿度センサ２１の代わりに、加湿ダクト４の脱着ファン１５の下流側近傍に加湿空気温度センサとしての入口温度センサ２４を配置している。また、加湿運転制御部３３は、加湿ロータ用モータ１２,吸着ファン用モータ１４,脱着ファン用モータ１６およびヒータ１７を制御して、加湿空気の絶対湿度を調整する絶対湿度調整手段３３aと、加湿ダクト４の入口側の加湿空気の目標温度を決定する目標温度決定手段３３cとを有している。
【００３２】
図４は上記加湿装置３Ｂの動作を説明するフローチャートである。
【００３３】
まず、処理がスタートすると、ステップＳ１１で弱めの加湿運転を行う。この場合、加湿ロータ１１の回転数を下げたり、脱着ファン１５の回転数を下げたり、ヒータ１７の入力を下げたり、吸着ファン１３の回転数を下げたりして、加湿量を通常の加湿運転時よりも少なくする。
次に、ステップＳ１２に進み、室外温度センサ２２により検出された室外温度を認識する。
次に、ステップＳ１３に進み、加湿ダクト４の入口温度センサ２４により検出された加湿ダクト入口温度を認識する。
次に、ステップＳ１４に進み、室外温度センサ２２により検出された室外温度と入口温度センサ２４により検出された加湿ダクト入口温度に基づいて、目標温度決定手段３３cにより加湿ダクト４の出口が結露しないような加湿ダクトの入口における目標温度Ｔを決定する。
次に、ステップＳ１５に進み、加湿運転を開始し、ステップＳ１６で入口温度センサ２４により検出された加湿ダクト入口温度が目標温度Ｔより低いか否かを判別して、加湿ダクト入口温度が目標温度Ｔより低いと判別すると、ステップＳ１７に進み、供給水分を増加させるように吸着ファン１３の回転数を上げて、ステップＳ１９に進む。
一方、ステップＳ１６で加湿ダクト入口温度が目標温度Ｔより高いと判別すると、ステップＳ１８に進み、供給水分を低減するように吸着ファン１３の回転数を下げて、ステップＳ１９に進む。
そして、ステップＳ１９で運転停止指令が有るか否かを判別して、運転停止指令が有ると判別すると、この処理を終了する一方、運転停止指令がないと判別すると、ステップＳ１６に戻る。
【００３４】
また、図５は上記加湿装置３Ｂから吹き出す加湿空気の乾球温度と相対湿度の変化を示しており、室外湿度が低いときの室外空気(○印の“Ａ”)と室外湿度が高いときの室外空気(○印の“ＡＡ”)の２つの条件について説明する。
【００３５】
まず、弱めの加湿運転において、室外空気(○印の“Ａ”)を加湿することにより乾球温度が高くかつ絶対湿度が高い加湿空気(○印の“Ｂ”)が加湿ダクト４の入口に到達する。一方、弱めの加湿運転において、室外空気(○印の“ＡＡ”)を加湿することにより乾球温度が高くかつ絶対湿度が高い加湿空気(○印の“ＢＢ”)が加湿ダクト４の入口に到達する。このとき、室外湿度が低い方が加湿量が減るため、加湿空気(○印の“Ｂ”)の方が加湿空気(○印の“ＢＢ”)よりも温度が高くなる。
【００３６】
そして、通常の加湿運転を行うときは、室外空気(○印の“Ａ”)を加湿することにより乾球温度が高くかつ絶対湿度が高い加湿空気(○印の“Ｃ”)が加湿ダクト４の入口に到達する。一方、弱めの加湿運転において、室外空気(○印の“ＡＡ”)を加湿することにより乾球温度が高くかつ絶対湿度が高い加湿空気(○印の“ＣＣ”)が加湿ダクト４の入口に到達する。
【００３７】
そして、上記加湿空気(○印の“Ｃ”)は、加湿ダクト４の出口ではヒートロスにより温度低下して、出口近傍の加湿空気(○印の“Ｄ”)の相対湿度が入口の加湿空気(○印の“Ｃ”)よりも高くなる。一方、上記加湿空気(○印の“ＣＣ”)は、加湿ダクト４の出口ではヒートロスにより温度低下して、出口近傍の加湿空気(○印の“ＤＤ”)の相対湿度が入口の加湿空気(○印の“ＣＣ”)よりも高くなる。
【００３８】
そこで、上記加湿装置３Ｂでは、加湿ダクト４の出口の加湿空気(○印の“Ｄ”および“ＤＤ”)の相対湿度が露点(１００％線)とならないように、加湿ダクト４の入口の加湿空気(○印の“Ｃ”および“ＣＣ”)の温度を制御する。すなわち、加湿ダクト４の入口の加湿空気(○印の“２”)の温度を入口温度センサ２４により検出して、その検出された温度が結露限界温度よりも下がらないようにするのである。
室内に供給する加湿空気の絶対湿度を増加させると、その空気のエンタルピのうち、水分、即ち、蒸気の潜熱が増えるため、顕熱である温度は低下する傾向になる。具体的には、脱着ファン１５による空気の流量やヒータ１７による加熱量を大きく変化させないで、吸着ファン１３の回転数をあげたり加湿ロータ１１の回転数をあげたりすることにより、搬送通路を通じて室内に供給する加湿空気の絶対湿度をあげることにより、供給する空気のエンタルピーは大きく変化せず、温度は低下する。
【００３９】
ここで、実験により、所定の加湿運転条件である弱めの加湿運転時の室外温度および加湿ダクト４の入口の加湿空気の温度に対する室外湿度の関係を予め調べておき、その関係を利用して、弱めの加湿運転時の室外温度および加湿ダクト４の入口の加湿空気の温度に基づいて室外湿度を推定し、推定した室外湿度が低いときは加湿量が減るために結露限界温度を低くし、室外湿度が高いときは加湿量が増えるために結露限界温度を高くする。そうして、上記目標温度Ｔを結露限界温度以上になるように設定して、最も結露しやすい加湿ダクト４内の出口側で結露しないようにすることで、加湿ダクト４内の全てで結露が発生しない。
【００４０】
このように、上記加湿装置３Ｂを用いた空気調和機では、搬送通路の断熱材を厚くしたり搬送通路にヒータや排出部を設けたりすることなく、簡単な構成で搬送通路内の結露を容易に防止することができる。また、乾燥運転と加湿運転を交互に行う加湿装置に比べて、乾燥運転がなくなることにより運転率がよくなり、加湿能力を向上できると共に、加湿ダクト４内の結露を防止することにより残留水分によるカビの発生も防ぐことができる。
【００４１】
上記第１,第２実施形態では、加湿空気の絶対湿度を調整するアクチュエータ制御として吸着ファン１３の回転数を制御したが、吸着ファン１３の代わりに例えば加湿ロータ１１の回転数を上げ下げするように制御してもよい。なお、この発明の加湿装置は、加湿ロータの回転数,吸着ファンの回転数,脱着ファンの回転数およびヒータの入力のうちの少なくとも１つを制御することにより、加湿空気の絶対湿度を調整すればよい。
【００４２】
また、上記第１,第２実施形態では、加湿装置を用いた空気調和機について説明したが、この発明の加湿装置を他の暖房装置に用いてもよいし、装置単体で使用される加湿装置等にこの発明を適用してもよい。
【００４３】
また、上記第１,第２実施形態では、加湿空気湿度センサとしての入口湿度センサ２１および加湿空気温度センサとしての入口温度センサ２４を搬送通路としての加湿ダクト４の入口側に配置したが、加湿空気湿度センサおよび加湿空気温度センサは、搬送通路内に配置されていればよい。
【００４４】
なお、この発明の加湿装置は、上記第１,第２実施形態に開示された構成に限定されるものではなく、他の構成の加湿装置にこの発明を適用してもよいのは勿論である。
【００４５】
【発明の効果】
以上より明らかなように、請求項１の発明の加湿装置は、加湿空気を室外から搬送通路を介して室内に供給する加湿装置において、上記搬送通路内が結露しないように上記加湿空気の絶対湿度を調整する絶対湿度調整手段を備え、上記搬送通路内の加湿空気の相対湿度を検出する加湿空気湿度センサを備え、上記加湿空気湿度センサにより検出される搬送通路内の加湿空気の相対湿度が目標相対湿度になるかまたは目標相対湿度よりも低くなるように、絶対湿度調整手段により加湿空気の絶対湿度を調整し、室外空気の温度を検出する室外温度センサと、室外空気の相対湿度を検出する室外湿度センサと、室外温度センサにより検出された室外空気の温度と室外湿度センサにより検出された室外空気の相対湿度に基づいて目標相対湿度を決定する目標相対湿度決定手段とを備えたことを特徴としている。
【００４６】
したがって、請求項１の発明の加湿装置によれば、上記絶対湿度調整手段により上記加湿空気の絶対湿度を調整することによって、上記搬送通路内が結露しないようにするので、搬送通路の断熱材を厚くしたり搬送通路にヒータや排出部を設けたりすることなく、簡単な構成で搬送通路内の結露を容易に防止することができる。
【００４７】
また、加湿空気湿度センサにより検出される上記搬送通路内の加湿空気の相対湿度が搬送通路内を結露させない目標相対湿度になるかまたは目標相対湿度よりも低くなるように、上記絶対湿度調整手段により上記加湿空気の絶対湿度を調整することによって、搬送通路内の結露を確実に防止することができる。
【００４８】
また、室外温度センサにより検出された室外空気の温度と室外湿度センサにより検出された室外空気の相対湿度に基づいて、目標相対湿度決定手段により搬送通路内が結露しない上記目標相対湿度を決定することで、搬送通路内の結露をより確実に防止できる目標相対湿度を得ることができる。
【００４９】
【００５０】
また、請求項２の発明の加湿装置は、加湿空気を室外から搬送通路を介して室内に供給する加湿装置において、搬送通路内が結露しないように加湿空気の絶対湿度を調整する絶対湿度調整手段を備え、搬送通路内の加湿空気の温度を検出する加湿空気温度センサを備え、加湿空気温度センサにより検出される搬送通路内の加湿空気の温度が、搬送通路内を結露させない目標相対湿度に応じた目標温度になるかまたは上記目標温度よりも高くなるように、絶対湿度調整手段により加湿空気の絶対湿度を調整し、室外空気の温度を検出する室外温度センサと、所定の加湿運転条件における室外温度センサにより検出された室外空気の温度と加湿空気温度センサにより検出された搬送通路内の加湿空気の温度に基づいて目標温度を決定する目標温度決定手段とを備えたことを特徴としている。
したがって、請求項２の発明の加湿装置によれば、上記絶対湿度調整手段により上記加湿空気の絶対湿度を調整することによって、上記搬送通路内が結露しないようにするので、搬送通路の断熱材を厚くしたり搬送通路にヒータや排出部を設けたりすることなく、簡単な構成で搬送通路内の結露を容易に防止することができる。また、加湿空気温度センサにより検出される搬送通路内の加湿空気の温度が、搬送通路内を結露させない目標相対湿度に応じた目標温度になるかまたは目標温度よりも高くなるように、上記絶対湿度調整手段により上記加湿空気の絶対湿度を調整することによって、搬送通路内の結露を確実に防止できる。また、上記搬送通路内の加湿空気の相対湿度を検出する湿度センサなしに安価な温度センサを用いて搬送通路内の結露を防止できる。さらに、所定の加湿運転条件における室外温度センサにより検出された室外空気の温度および加湿空気温度センサにより検出された搬送通路内の加湿空気の温度に基づいて目標温度決定手段により目標温度を決定することによって、搬送通路内の結露をより確実に防止できる目標温度を得ることができる。
【００５１】
また、請求項３の発明の加湿装置は、請求項１または２の加湿装置において、上記絶対湿度調整手段は、上記加湿ロータの回転数,上記吸着ファンの回転数,上記脱着ファンの回転数,上記ヒータの入力,上記加湿ロータの回転のオンオフ時間,上記吸着ファンの回転のオンオフ時間および上記脱着ファの回転のオンオフ時間のうちの少なくとも１つを制御することにより、加湿空気の絶対湿度を容易に調整することができる。
【００５２】
また、請求項４の発明の空気調和機は、請求項１乃至３のいずれか1つの加湿装置を用いることによって、搬送通路の断熱材を厚くしたり搬送通路にヒータや排出部を設けたりすることなく、簡単な構成で搬送通路内の結露を容易に防止できる加湿装置を用いた空気調和機を実現することができる。
【図面の簡単な説明】
【図１】  図１はこの発明の第１実施形態の加湿装置を用いた空気調和機の要部のブロック図である。
【図２】  図２は上記加湿装置の動作を説明するフローチャートである。
【図３】  図３は上記加湿装置から吹き出す加湿空気の乾球温度と相対湿度の変化を示す図である。
【図４】  図４はこの発明の第２実施形態の加湿装置を用いた空気調和機における加湿装置の動作を説明するフローチャートである。
【図５】  図５は上記加湿装置から吹き出す加湿空気の乾球温度と相対湿度の変化を示す図である。
【符号の説明】
１…室内ユニット、
２…室外ユニット、
３Ａ,３Ｂ…加湿装置、
４…加湿ダクト、
１１…加湿ロータ、
１２…加湿ロータ用モータ、
１３…吸着ファン、
１４…吸着ファン用モータ、
１５…脱着ファン、
１６…脱着ファン用モータ、
１７…ヒータ、
２１…入口湿度センサ、
２２…室外温度センサ、
２３…室外湿度センサ、
２４…入口温度センサ、
３１…室内制御部、
３２…室外制御部、
３３…加湿運転制御部、
３３a…絶対湿度調整手段、
３３b…目標相対湿度決定手段、
３３c…目標温度決定手段。
【図１】
0003687583.tif 000002
【図２】
0003687583.tif 000003
【図３】
0003687583.tif 000004
【図４】
0003687583.tif 000005
【図５】
0003687583.tif 000006